(57)【特許請求の範囲】
【請求項１】
外郭ケースの中に誘導加熱装置と冷却装置と制御装置を配設した本体ユニットと、
トッププレート下面をアンダーフレームで支持したトップユニットとを備え、
前記トップユニットは本体ユニットの上方開口部を覆うとともに、前記外郭ケースに固定された支持具と前記アンダーフレームとをビスで固定することで前記本体ユニットと一体化し、
前記トッププレートを含む前記トップユニットの上面全体がキッチンキャビネットのキッチン天面と面一状態となるよう、前記キッチン天面に設けた開口穴の段落ち部に前記アンダーフレームの下面を載置して組込むとともに、前記トッププレートと前記キッチン天面との間の隙間をシーリング剤で埋めて固定し、
前記本体ユニットに配設した誘導加熱装置の複数個の加熱部をトッププレートの横方向中心よりも奥側に横列状態に配列し、
修理を行う場合には、前記ビスを緩めて外すことで前記本体ユニットを取り外すことができるようにした、組込み型誘導加熱調理器。
【請求項２】
本体ユニットは一つの外郭ケースの中にそれぞれ一つの誘導加熱装置と制御装置と、少なくとも一つ以上の冷却装置とを配設して構成するとともに、この本体ユニットを複数個備えた請求項１に記載の組込み型誘導加熱調理器。
【請求項３】
本体ユニットは一つの外郭ケースの中にそれぞれ複数の誘導加熱装置と制御装置と、少なくとも一つ以上の冷却装置とを配設して一つの本体ユニットとした請求項１に記載の組込み型誘導加熱調理器。
【請求項４】
トップユニットは一つのトップユニットで構成した請求項１〜３のいずれか１項に記載の組込み型誘導加熱調理器。
【請求項５】
トップユニットは複数個のトップユニットで構成した請求項１〜３のいずれか１項に記載の組込み型誘導加熱調理器。
【請求項６】
トッププレートは、それぞれの配色が異なる印刷色または生地色で構成された請求項５に
記載の組込み型誘導加熱調理器。
【請求項７】
本体ユニットの吸気口と排気口をキッチンキャビネット内に位置して設け、トップユニットおよびその周囲には開口部をなくした請求項１に記載の組込み型誘導加熱調理器。
【請求項８】
誘導加熱装置の操作部ユニットは、それぞれの誘導加熱装置の加熱部と相対して操作キーを配設した請求項１〜５のいずれか１項に記載の組込み型誘導加熱調理器。
【発明の詳細な説明】
【技術分野】
【０００１】
本発明は、主に家庭のキッチンキャビネットに組み込まれる組込み型誘導加熱調理器に関するものである。
【背景技術】
【０００２】
従来、この種の組込み型誘導加熱調理器は、加熱調理器を構成する本体ユニットを覆って装着したトッププレートの周囲にプレート枠を設け、このプレート枠と本体ユニットのフランジをキッチンキャビネットのキッチン天面上に載置するようにしてキッチンキャビネットに組み込まれている（例えば、特許文献１参照）。
【特許文献１】特開２００６−２００８３７号公報
【発明の開示】
【発明が解決しようとする課題】
【０００３】
しかしながら、前記従来の構成では、プレート枠と本体ユニットのフランジをキッチンキャビネットのキッチン天面上に載置するため、トッププレートとキッチン天面との間にはプレート枠の厚み分だけ、段差を生じ、調理時や清掃時にお手入れ性や使い勝手が悪いものであった。また、トッププレート下方の誘導加熱装置の加熱部は、２口の場合は前後方向に配置（３口の場合は三角状に配置）されるため、トッププレートの奥行寸法が大きくなり、定められたキッチンモジュールに対して非調理スペースが狭くなり、調理前の下ごしらえスペースが近くにないとか、調理物を入れる皿を近くに置くことができないなど、料理全般を考えたキッチンスペースとして、不便で使い勝手が悪いという課題を有していた。
【０００４】
本発明は、前記従来の課題を解決するもので、フルフラットで、しかもキッチン手前の非調理スペースを広く確保し、使い勝手がよくデザイン性に優れた組込み型誘導加熱調理器を提供することを目的とする。
【課題を解決するための手段】
【０００５】
前記従来の課題を解決するために、本発明の組込み型誘導加熱調理器は、外郭ケースの中に誘導加熱装置と冷却装置と制御装置を配設した本体ユニットと、トッププレート下面をアンダーフレームで支持したトップユニットとを備え、前記トップユニットは本体ユニットの上方開口部を覆うとともに、前記外郭ケースに固定された支持具と前記アンダーフレームとをビスで固定することで前記本体ユニットと一体化し、トッププレートを含む前記トップユニットの上面全体がキッチンキャビネットのキッチン天面と面一状態となるようキッチン天面に設けた開口穴の段落ち部に前記アンダーフレームの下面を載置して組込むとともに、トッププレートと前記キッチン天面との間の隙間をシーリング剤で埋めて固定し、本体ユニットに配設した誘導加熱装置の複数個の加熱部をトッププレートの横方向中心よりも奥側に横列状態に配列し、修理を行う場合には、前記ビスを緩めて外すことで前記本体ユニットを取り外すことができるようにしたものである。
【０００６】
これによって、トッププレートの上面がキッチンキャビネットのキッチン天面と面一状態となるよう組込まれていることでフルフラット構成となり、かつ誘導加熱装置の複数個の加熱部をトッププレートの横方向中心よりも奥側に横列状態に配列したことで、キッチン手前の非調理スペースを広く確保することができ、使い勝手がよくデザイン性に優れたものとなる。
【発明の効果】
【０００７】
本発明の組込み型誘導加熱調理器は、フルフラットで、しかもキッチン手前の非調理スペースを広く確保し、使い勝手がよくデザイン性に優れたものである。
【発明を実施するための最良の形態】
【０００８】
第１の発明は、外郭ケースの中に誘導加熱装置と冷却装置と制御装置を配設した本体ユニットと、トッププレート下面をアンダーフレームで支持したトップユニットとを備え、前記トップユニットは本体ユニットの上方開口部を覆うとともに、前記外郭ケースに固定された支持具と前記アンダーフレームとをビスで固定することで前記本体ユニットと一体化し、トッププレートを含む前記トップユニットの上面全体がキッチンキャビネットのキッチン天面と面一状態となるようキッチン天面に設けた開口穴の段落ち部に前記アンダーフレームの下面を載置して組込むとともに、トッププレートと前記キッチン天面との間の隙間をシーリング剤で埋めて固定し、本体ユニットに配設した誘導加熱装置の複数個の加熱部をトッププレートの横方向中心よりも奥側に横列状態に配列し、修理を行う場合には、前記ビスを緩めて外すことで前記本体ユニットを取り外すことができるようにした組込み型誘導加熱調理器とするものである。これによって、トッププレートの上面がキッチンキャビネットのキッチン天面と面一状態となるよう組込まれていることでフルフラット構成となり、かつ誘導加熱装置の複数個の加熱部をトッププレートの横方向中心よりも奥側に横列状態に配列したことで、キッチン手前の非調理スペースを広く確保することができ、使い勝手がよくデザイン性に優れたものとなる。
【０００９】
第２の発明は、特に、第１の発明において、本体ユニットは一つの外郭ケースの中にそれぞれ一つの誘導加熱装置と制御装置と、少なくとも一つ以上の冷却装置とを配設して構成するとともに、この本体ユニットを複数個備えたことにより、トップユニットと本体ユニットをそれぞれのブロックごとに取付け、取り外しができ、サービスメンテの際に、対象のブロックの本体ユニットのみ修理、交換などが無駄なく容易にできる。
【００１０】
第３の発明は、特に、第１の発明において、本体ユニットは一つの外郭ケースの中にそれぞれ複数の誘導加熱装置と制御装置と、少なくとも一つ以上の冷却装置とを配設して一つの本体ユニットとしたことにより、限られたキッチンモジュールの中で誘導加熱装置の間隔を大きく確保することができ、多口同時加熱調理される際に大きな鍋同士が干渉することなく、便利で快適な調理をすることができる。
【００１１】
第４の発明は、特に、第１〜第３のいずれか１つの発明において、トップユニットは一つのトップユニットで構成したことにより、トップユニット上面に割り線が生じることなく、全面フラットですっきりしたデザインにすることができる。
【００１２】
第５の発明は、特に、第１〜第３のいずれか１つの発明において、トップユニットは複数個のトップユニットで構成したことにより、トッププレートが割れても対象のトップユニットのみキッチン天面から外してサービスメンテすることができる。また、キッチン天面に設けられたキッチン穴開口の大きさ、配置などに合わせてトップユニットを配設することができる。
【００１３】
第６の発明は、特に、第５の発明において、トッププレートは、それぞれの配色が異なる印刷色または生地色で構成されたことにより、個性的なオーダーデザインとすることができる。また、各本体ユニットの消費電力違いを色で区分したり、仕様、機能違いを色で区分したりすることができる。
【００１４】
第７の発明は、特に、第１の発明において、本体ユニットの吸気口と排気口をキッチンキャビネット内に位置して設け、トップユニットおよびその周囲には開口部をなくしたことにより、トップユニット上面に開口部を有しないフルフラットですっきりしたデザインとすることができ、清掃性を向上するとともに開口部から本体ユニットに水や物が入ることなく、安全で衛生的な誘導加熱調理器を提供することができる。
【００１５】
第８の発明は、特に、第１〜第５のいずれか１つの発明において、誘導加熱装置の操作部ユニットは、それぞれの誘導加熱装置の加熱部と相対して操作キーを配設したことにより、多口同時加熱や指定の加熱部を使って調理する際にわかりやすく、操作キーの誤使用を防止することができる。
【００１６】
以下、本発明の実施の形態について、図面を参照しながら説明する。なお、この実施の形態によって本発明が限定されるものではない。
【００１７】
（実施の形態１）
図１、図２は、本発明の実施の形態１における組込み型誘導加熱調理器を示すものである。
【００１８】
図に示すように、本体ユニット１ａは、外郭ケース２ａの中に鉄鍋系加熱用の誘導加熱装置３ａと制御装置４ａと冷却装置５ａを内蔵して配設している。本体ユニット１ｂは、外郭ケース２ｂの中にアルミ鍋系加熱用の二つの誘導加熱装置３ｂと二つの制御装置４ｂと少なくとも一つ以上の冷却装置５ｂを内蔵して配設している。次に、トップユニット６は二つのトッププレート７ａ、７ｂとこれらの下面を支持した金属などの剛性部材よりなる一つのアンダーフレーム８で構成され、アンダーフレーム８にトッププレート７ａ、７ｂを載置して接着固定している。
【００１９】
ここで、本体ユニット１ａと本体ユニット１ｂを連設して、その上方開口部を覆うようにトップユニット６を載置するとともに、外郭ケース２ａと外郭ケース２ｂの左右側面に固定された金属製の支持具９とアンダーフレーム８をビス締め固定して、一体化することにより誘導加熱調理器本体１０を構成している。このときそれぞれの誘導加熱装置３ａ、３ｂの加熱部１１ａ、１１ｂ、１１ｃはトッププレート７ａ、７ｂの下方に横列状態に配列され、トッププレート７ａ、７ｂの横方向中心Ｐよりも奥側に配設されている。
【００２０】
この誘導加熱調理器本体１０をキッチンキャビネット１２に組み込む際、キッチン天面１３に配設したキッチン穴開口１４の段落ち部１５にアンダーフレーム８の下面を載置してトッププレート７ａ、７ｂの上面がキッチンキャビネット１２のキッチン天面１３と面一状態となるよう組込まれるとともに、互いの隙間をシーリング剤１６で埋めて固定している。
【００２１】
キッチン天面１３の手前に構成した前垂れ部１７とトップユニット６との間の非調理スペース１８は大きくとることができる。これは、複数個の加熱部１１ａ、１１ｂ、１１ｃをトッププレート７ａ、７ｂの横方向中心Ｐよりも奥側に横列状態に配列したこと、およびトッププレート７ａ、７ｂの上面がキッチン天面１３と面一状態となるように組込まれていることによる。なお、キッチン天面１３の手前側面に操作部ユニット１９を配設するとともに、電気的に制御装置４ａ、４ｂに接続している。
【００２２】
以上のように構成された組込み型誘導加熱調理器について、以下その動作、作用を説明する。
【００２３】
まず、トップユニット６のトッププレート７ａ、７ｂの上面は、キッチン天面１３と段差のない面一状態で構成され、隙間をシーリング剤１６で埋めているため、調理面およびその周辺に凹凸がなくすっきりきれいなデザインとなり、調理時の汚れや吹きこぼれをむらなくきれいに清掃できるよう作用する。また、加熱部１１ａ、１１ｂ、１１ｃが横列状態に配列され十分広い間隔を確保されていることで、調理しやすく鍋の移動もスムーズにできるよう作用する。さらに、定められたキッチンの奥行モジュールに対して、加熱部１１ａ、１１ｂ、１１ｃをトッププレート７ａ、７ｂの横方向中心Ｐより奥側に配設すること、およびトッププレート７ａ、７ｂの上面がキッチン天面１３と面一状態となるように組込まれていることにより、キッチン天面１３の非調理スペース１８をまな板が置ける程度に広く確保することができ、具材の下ごしらえから調理物の皿への盛り付けまで調理する傍らで作業でき、頻繁に移動する手間が省け、便利で使い勝手のよい誘導加熱調理器が提供できる。
【００２４】
なお、本体ユニット１ａを構成する誘導加熱装置３ａは、鉄鍋系加熱用、本体ユニット１ｂを構成する誘導加熱装置３ｂは、アルミ鍋系加熱用としているが、機能、仕様に合わせて種々の組合せの仕様となることは言うまでもない。
【００２５】
（実施の形態２）
図３は、本発明の実施の形態２における組込み型誘導加熱調理器を示すものである。基本構成は実施の形態１と同様であるので、同一要素については同一符号を付してその説明を省略し、相違点を中心に説明する。
【００２６】
図に示すように、本実施の形態における組込み型誘導加熱調理器の本体ユニット２１ａは外郭ケース２２ａ中に一つの誘導加熱装置２３ａと一つの制御装置２４ａと少なくとも一つ以上の冷却装置２５ａとを配設しており、本体ユニット２１ｂは外郭ケース２２ｂ中に一つの誘導加熱装置２３ｂと一つの制御装置２４ｂと少なくとも一つ以上の冷却装置２５ｂとを配設しており、本体ユニット２１ｃは外郭ケース２２ｃ中に一つの誘導加熱装置２３ｃと一つの制御装置２４ｃと少なくとも一つ以上の冷却装置２５ｃを配設している。
【００２７】
以上のように構成された組込み型誘導加熱調理器について、以下その動作、作用を説明する。
【００２８】
本体ユニット２１ａ、２１ｂ、２１ｃは、それぞれが加熱、冷却、制御という機能動作で独立した一つのブロック体構成になっているため、いずれかの部品が故障したり異常を生じたりした場合に、対象ブロックを特定しやすく対象の本体ユニット２１ａ、２１ｂ、２１ｃのいずれかのトップユニット６を固定している支持具９のビスを緩めて外し、修理、交換することができ、サービスメンテしやすく効率的な作業ができるよう作用する。
【００２９】
このように、本実施の形態では、トップユニットと本体ユニットをそれぞれのブロックごとに取付け、取り外しができ、サービスメンテの際に、対象のブロックの本体ユニットのみ修理、交換などが無駄なく容易にできる。
【００３０】
（実施の形態３）
図４は、本発明の実施の形態３における組込み型誘導加熱調理器を示すものである。基本構成は実施の形態１と同様であるので、同一要素については同一符号を付してその説明を省略し、相違点を中心に説明する。
【００３１】
図に示すように、本実施の形態における組込み型誘導加熱調理器は、本体ユニット３１ａが一つの外郭ケース３２ａに中に三つの誘導加熱装置３３ａ、３３ｂ、３３ｃと三つの制御装置３４ａ、３４ｂ、３４ｃと１つの冷却装置３５ａを配設している。
【００３２】
以上のように構成された組込み型誘導加熱調理器について、以下その動作、作用を説明する。
【００３３】
限られたキッチンモジュールの中に一体の外郭ケース３２ａを配設しているため、複数の外郭ケース構成とした場合に比べ、互いの外郭ケース間における隙間などの無駄なスペースをなくすことができ、誘導加熱装置３３ａ、３３ｂ、３３ｃの仕様、例えば、高出力やアルミ鍋系加熱や外周に付属部品を取り付けて外径が大きくなっても十分な互いの間隔を確保することができ、誘導加熱装置同士が干渉することなく、底径φ３００ｍｍ程度の鍋でも互いに干渉せず、加熱調理ができるように作用する。
【００３４】
このように、本実施の形態では、限られたキッチンモジュールの中で誘導加熱装置の間隔を大きく確保することができ、多口同時加熱調理される際に大きな鍋同士が干渉することなく、便利で快適な調理をすることができる。
【００３５】
（実施の形態４）
図５は、本発明の実施の形態４における組込み型誘導加熱調理器を示すものである。基本構成は実施の形態１と同様であるので、同一要素については同一符号を付してその説明を省略し、相違点を中心に説明する。
【００３６】
図に示すように、本実施の形態における組込み型誘導加熱調理器は、トップユニット４１のトッププレートを一つのトッププレート４２で構成している。
【００３７】
以上のように構成された組込み型誘導加熱調理器について、以下その動作、作用を説明する。
【００３８】
トッププレート４２が一枚のつなぎのない構成でできているため、キッチン天面１３とトッププレート４２の上面に段差がなく、割り線の少ない同一平面で構成され、調理面およびその周辺に凹凸がなく、割り線の少ないすっきりきれいなデザインとなり、調理時の汚れや吹きこぼれをむらなくきれいに清掃できるよう作用する。
【００３９】
このように、本実施の形態では、トップユニット上面に割り線が生じることなく、全面フラットですっきりしたデザインにすることができる。
【００４０】
（実施の形態５）
図６、図７は、本発明の実施の形態５における組込み型誘導加熱調理器を示すものである。基本構成は実施の形態１、２と同様であるので、同一要素については同一符号を付してその説明を省略し、相違点を中心に説明する。
【００４１】
図に示すように、本実施の形態における組込み型誘導加熱調理器は、トップユニットが三つのトップユニット５１ａ、５１ｂ、５１ｃで構成され、トップユニット５１ａはアンダーフレーム５２ａの上に載置されたトッププレート５３ａを接着固定してキッチン穴開口５４に配設され、トップユニット５１ｂはアンダーフレーム５２ｂ上に載置されたトッププレート５３ｂを接着固定してキッチン穴開口５４に配設され、トップユニット５１ｃはアンダーフレーム５２ｃ上に載置されたトッププレート５３ｃを接着固定してキッチン穴開口５４に配設されている。そして、互いのトップユニット５１ａ、５１ｂ、５１ｃのキッチン穴開口５４との隙間をシーリング剤１６で埋めて固定する構成としている。
【００４２】
以上のように構成された組込み型誘導加熱調理器について、以下その動作、作用を説明する。
【００４３】
トッププレート５３ａ、５３ｂ、５３ｃそれぞれに対応してアンダーフレーム５２ａ、５２ｂ、５２ｃを構成しているため、トッププレートのある部位が割れたり、異常が生じたりしてもシーリング剤１６を取り除き、対象のトップユニット５１ａ、５１ｂ、５１ｃのいずれかを容易に交換することができ、効率的で低コストのサービスメンテができるように作用する。
【００４４】
このように、本実施の形態では、トッププレートが割れても対象のトップユニットのみキッチン天面から外してサービスメンテすることができる。また、キッチン天面に設けられたキッチン穴開口の大きさ、配置などに合わせてトップユニットを配設することができる。
【００４５】
（実施の形態６）
図８は、本発明の実施の形態６における組込み型誘導加熱調理器を示すものである。基本構成は実施の形態１と同様であるので、同一要素については同一符号を付してその説明を省略し、相違点を中心に説明する。
【００４６】
図に示すように、本実施の形態における組込み型誘導加熱調理器は、トッププレート６１ａとトッププレート６１ｂを白とシルバーにしている。すなわち、トッププレート６１ａ、６１ｂは、それぞれの配色が異なる印刷色または生地色で構成されている。
【００４７】
以上のように構成された組込み型誘導加熱調理器について、以下その動作、作用を説明する。
【００４８】
トッププレート６１ａは鉄鍋系加熱用の誘導加熱装置３ａが配設され、トッププレート６１ｂはアルミ鍋系加熱用の誘導加熱装置３ｂが配設されているため、使用者に加熱調理できる鍋の種類に合わせた機能区分を視覚で容易にわかりやすく判断でき、個性に合わせたオーダーメードで色を選定できるよう作用する。
【００４９】
このように、本実施の形態では、個性的なオーダーデザインとすることができる。また、各本体ユニットの消費電力違いを色で区分したり、仕様、機能違いを色で区分したりすることができる。
【００５０】
なお、トッププレートの印刷色は可能な色であればどのような組合せでもよく、またトッププレートの生地自体の色で区分してもよい。
【００５１】
（実施の形態７）
図９は、本発明の実施の形態７における組込み型誘導加熱調理器を示すものである。基本構成は実施の形態１と同様であるので、同一要素については同一符号を付してその説明を省略し、相違点を中心に説明する。
【００５２】
図に示すように、本実施の形態における組込み型誘導加熱調理器は、キッチン天面１３の前垂れ部１７に外気を取り込むための吸気パネル７１を配設して、吸気パネル７１から取り込んだ外気を外郭ケース２ａ、２ｂの前側面に配設された吸気口７２で本体ユニット１ａ、１ｂ内に取り込み、誘導加熱装置３ａ、３ｂ、制御装置４ａ、４ｂなどを冷却装置５ａ、５ｂで冷却し、熱気を外郭ケース２ａ、２ｂの後ろ側面に配設された排気口７３から排出し、キッチン天面１３後方と壁７５との間の壁面排気口７４から外に排出するよう構成している。すなわち、本体ユニット１ａ、１ｂの吸気口７２と排気口７３をキッチンキャビネット１２内に位置して設け、トップユニット６およびその周囲には開口部をなくした構成としている。
【００５３】
以上のように構成された組込み型誘導加熱調理器について、以下その動作、作用を説明する。
【００５４】
吸気口７２、排気口７３がキッチンキャビネット１２内に配設され壁面排気口７４から排気しているため、キッチン天面１３およびトップユニット６に開口穴や凹凸がなく、すっきりきれいなフラットデザインで清掃性向上かはかれるとともに、キッチン天面１３およびトップユニット６に開口部がないため水や調理物の侵入を防止できるよう作用する。
【００５５】
このように、本実施の形態では、トップユニット上面に開口部を有しないフルフラットですっきりしたデザインとすることができ、清掃性を向上するとともに開口部から本体ユニットに水や物が入ることなく、安全で衛生的な誘導加熱調理器を提供することができる。
【００５６】
（実施の形態８）
図１０は、本発明の実施の形態８における組込み型誘導加熱調理器を示すものである。基本構成は実施の形態１と同様であるので、同一要素については同一符号を付してその説明を省略し、相違点を中心に説明する。
【００５７】
図に示すように、本実施の形態における組込み型誘導加熱調理器は、加熱部１１ａ、１１ｂ、１１ｃそれぞれの制御を司る操作部ユニット８１ａ、８１ｂ、８１ｃの操作キー８２ａ、８２ｂ、８２ｃの略中心である中心点８３ａ、８３ｂ、８３ｃと加熱部１１ａ、１１ｂ、１１ｃの中心を相対した位置に配設している。
【００５８】
以上のように構成された組込み型誘導加熱調理器について、以下その動作、作用を説明する。
【００５９】
多口同時加熱や指定の加熱部を使って調理する際に、操作部ユニット８１ａ、８１ｂ、８１ｃの操作キー８２ａ、８２ｂ、８２ｃの略中心である中心点８３ａ、８３ｂ、８３ｃと加熱部１１ａ、１１ｂ、１１ｃの中心を相対した位置に配設していることで、使い勝手がよく操作キー８２ａ、８２ｂ、８２ｃの誤使用を防止することができるよう作用する。
【００６０】
このように、本実施の形態では、多口同時加熱や指定の加熱部を使って調理する際にわかりやすく、操作キーの誤使用を防止することができる。
【産業上の利用可能性】
【００６１】
以上のように、本発明にかかる組込み型誘導加熱調理器は、フルフラットで、しかもキッチン手前の非調理スペースを広く確保し、使い勝手がよくデザイン性に優れたものであるので、組込み型誘導加熱調理器全般に適用できる。
【図面の簡単な説明】
【００６２】
【図１】本発明の実施の形態１における組込み型誘導加熱調理器のキッチン組込み時の要部断面図
【図２】同組込み型誘導加熱調理器のキッチン組込み時の斜視図
【図３】本発明の実施の形態２における組込み型誘導加熱調理器のキッチン組込み時の要部断面図
【図４】本発明の実施の形態３における組込み型誘導加熱調理器のキッチン組込み時の要部断面図
【図５】本発明の実施の形態４における組込み型誘導加熱調理器のキッチン組込み時の斜視図
【図６】本発明の実施の形態５における組込み型誘導加熱調理器のキッチン組込み時の要部断面図
【図７】同組込み型誘導加熱調理器のキッチン組込み時の斜視図
【図８】本発明の実施の形態６における組込み型誘導加熱調理器のキッチン組込み時の要部平面図
【図９】本発明の実施の形態７における組込み型誘導加熱調理器のキッチン組込み時の要部断面図
【図１０】本発明の実施の形態８における組込み型誘導加熱調理器のキッチン組込み時の斜視図
【符号の説明】
【００６３】
１ａ、１ｂ、２１ａ、２１ｂ、２１ｃ、３１ａ  本体ユニット
２ａ、２ｂ、２２ａ、２２ｂ、２２ｃ、３２ａ  外郭ケース
３ａ、３ｂ、２３ａ、２３ｂ、２３ｃ、３３ａ、３３ｂ、３３ｃ  誘導加熱装置
４ａ、４ｂ、２４ａ、２４ｂ、２４ｃ  制御装置
５ａ、５ｂ、２５ａ、２５ｂ、２５ｃ、３５ａ  冷却装置
６、４１、５１ａ、５１ｂ、５１ｃ  トップユニット
７ａ、７ｂ、４２、５３ａ、５３ｂ、５３ｃ、６１ａ、６１ｂ  トッププレート
８、５２ａ、５２ｂ、５２ｃ  アンダーフレーム
１０  誘導加熱調理器本体
１１ａ、１１ｂ、１１ｃ  加熱部
１２  キッチンキャビネット
１３  キッチン天面
１４、５４  キッチン穴開口
１５  段落ち部
１６  シーリング剤
１８  非調理スペース
１９、８１ａ、８１ｂ、８１ｃ  操作部ユニット
７２  吸気口
７３  排気口
７４  壁面排気口
８２ａ、８２ｂ、８２ｃ  操作キー
【図１】
0005076731.tif 000002
【図２】
0005076731.tif 000003
【図３】
0005076731.tif 000004
【図４】
0005076731.tif 000005
【図５】
0005076731.tif 000006
【図６】
0005076731.tif 000007
【図７】
0005076731.tif 000008
【図８】
0005076731.tif 000009
【図９】
0005076731.tif 000010
【図１０】
0005076731.tif 000011